(57)【要約】【課題】施工性の優れた照明制御システムを提供する。【解決手段】検出手段１１を有し、検出手段１１からの信号及び設定されたデータに基づいて照明負荷Ｄを調光制御する照明制御装置Ａと、照明制御装置Ａと信号を交換し得るように電気的に接続され、照明制御装置Ａからの調光信号を増幅する増幅部２２を有し、照明制御装置Ａに一体に取り付けられた調光信号増幅器Ｂとを具備する構成とする。【選択図】        図１
2005228607.tif 000002
【特許請求の範囲】
【請求項１】
検出手段を有し、検出手段からの信号及び設定されたデータに基づいて照明負荷を調光制御する照明制御装置と；
照明制御装置と信号を交換し得るように電気的に接続され、照明制御装置からの調光信号を増幅する増幅部を有し、照明制御装置に一体に取り付けられた調光信号増幅器と；
を具備することを特徴とする照明制御システム。
【請求項２】
被照明空間の状態を検出する検出手段と；
照明負荷を調光制御する信号を出力する調光信号出力部と；
照明負荷の調光レベルを設定する設定部と；
検出手段からの信号及び設定部に設定されたデータに基づいて調光信号出力部を制御する制御部とを有する照明制御装置と；
照明制御装置の調光信号出力部に接続され調光信号が入力される調光信号入力部と；
入力された調光信号を増幅する増幅部と；
増幅された調光信号を照明負荷に供給する調光信号出力部とを有し、照明制御装置に一体に取り付けられた調光信号増幅器と；
を具備することを特徴とする照明制御システム。
【請求項３】
前記照明制御装置は、調光信号増幅器を介して電源が供給されることを特徴とする請求項１乃至２に記載の照明制御システム。
【請求項４】
前記照明制御装置と調光信号増幅器とが、プラグイン方式により電気的な接続がなされることを特徴とする請求項１乃至３に記載の照明制御システム。
【請求項５】
前記照明制御装置と調光信号増幅器とが、略垂直方向に一体に取り付けられたことを特徴とする請求項１乃至４に記載の照明制御システム。
【請求項６】
前記調光信号増幅器が照明制御装置に対し、略水平方向に一体に取り付けられたことを特徴とする請求項１乃至４に記載の照明制御システム。
【請求項７】
前記照明制御装置と調光信号増幅器とが、可変可能に一体に取り付けられたことを特徴とする請求項１乃至６に記載の照明制御システム。
【請求項８】
前記照明制御装置と調光信号増幅器とが、着脱可能に一体に取り付けられたことを特徴とする請求項１乃至７に記載の照明制御システム。
【発明の詳細な説明】
【技術分野】
【０００１】
本発明は、ビル施設等業務用または家庭用の照明負荷を調光制御する照明制御システムに係り、特に周囲の明るさの変化や人体の存否等、被照明空間の状態を検出して照明制御を行う照明制御システムに関する。
【背景技術】
【０００２】
従来のこの種の照明制御システムは、ビル施設等においてブロック毎に系列化された複数の照明器具を、窓などの開口部付近に設置された昼光センサー等の明るさセンサーで調光制御したり、さらには部屋の天井等に設置された人感センサーで人体の存否を確認し、照明器具を点灯もしくは消灯制御している。
【０００３】
その制御の具体的な構成は、下記の特許文献１に示されている。
【特許文献１】特開平１０−１９１４６７号公報  特許文献１に示される照明制御システムは、室内の照度レベルを検出し照度レベル信号を発生する光または人感センサーと、照明器具の調光レベルを制御する調光制御信号を１系統以上出力する調光信号出力部と、各系統の調光レベルを設定する設定部と、設定部により設定されたデータ及び前記センサーからの照度レベル信号に基づいて調光信号出力部を制御する制御信号を出力する制御部とを有して照明制御装置を構成し、センサーからの信号と設定部のデータを制御部で比較演算し、その結果を調光信号出力部を介してＰＷＭ信号のデューティーにより、接続される照明器具の明るさを増減し調光するようになっている。
【０００４】
これら各構成要素部品からなる照明制御装置は、一体構成となしてサポート付筐体に収められ、造営材である例えば部屋壁面のスイッチボックス内に収納され、各センサーや電源、各照明器具とは伝送線を介して接続され照明制御を行うようになっている。
【０００５】
一方、施設の規模が大きな照明制御システムでは、照明負荷の機種や台数等に対応した適切な調光信号を出力するために、調光信号増幅器が設けられており、この調光信号増幅器はＰＷＭ信号の周波数、デューティー比は変えずに電流を増幅させ、接続された照明負荷の機種、台数等に適した調光信号を出力するようになっている。
【発明の開示】
【発明が解決しようとする課題】
【０００６】
しかしながら、調光信号増幅器は、通常、制御盤または部屋の天井に設けられた点検口付近に設置され、点検口から離れた位置に設置されている電源、照明制御装置さらには各照明器具との位置関係では、調光信号増幅器を増設しない場合の配線作業に比し、調光信号増幅器と電源や照明制御装置さらには各照明器具との配線が付加されて複雑になると共に、電源線や調光信号線を構成する伝送線の配線が長くなり施工性が悪くなる問題が生じる。
【０００７】
本発明は、上述した従来の問題、課題に鑑みてなされたもので、照明制御装置と調光信号増幅器とを一体に取り付けた構成となし、施工性の優れた照明制御システムを提供することを目的とする。
【課題を解決するための手段】
【０００８】
請求項１に記載の照明制御システムの発明は、検出手段を有し、検出手段からの信号及び設定されたデータに基づいて照明負荷を調光制御する照明制御装置と；照明制御装置と信号を交換し得るように電気的に接続され、照明制御装置からの調光信号を増幅する増幅部を有し、照明制御装置に一体に取り付けられた調光信号増幅器と；を具備することを特徴とする。
【０００９】
請求項２に記載の照明制御システムの発明は、被照明空間の状態を検出する検出手段と；照明負荷を調光制御する信号を出力する調光信号出力部と；照明負荷の調光レベルを設定する設定部と；検出手段からの信号及び設定部に設定されたデータに基づいて調光信号出力部を制御する制御部とを有する照明制御装置と；照明制御装置の調光信号出力部に接続され調光信号が入力される調光信号入力部と；入力された調光信号を増幅する増幅部と；増幅された調光信号を照明負荷に供給する調光信号出力部とを有し、照明制御装置に一体に取り付けられた調光信号増幅器と；を具備することを特徴とする。
【００１０】
請求項１乃至２に記載の発明によれば、照明制御装置と調光信号増幅器とが一体に取り付けられた構成となし、施工性の優れた照明制御システムを実現することができる。
【００１１】
ここで、「照明制御装置に一体に取り付けられた調光信号増幅器」は、照明制御装置と調光信号増幅器がそれぞれ有する各構成要素部品が1つの、例えば筐体等に設置されて一体に構成されていても、また照明制御装置が有する各構成要素部品が1つの筐体等に設置され、さらに調光信号増幅器が有する各構成要素部品が他の1つの筐体等に設置され、それぞれ別個に構成された各筐体が例えば略垂直方向に間隔を有して、または有さずに積み重ねられ、もしくは略水平方向に間隔を有して、または有さずに併設されて一体に取り付けられた構成となっていても、さらに両者が可変可能に一体に取り付けられた構成になっていてもよい。
【００１２】
さらに、照明制御装置と調光信号増幅器の両者が直接固定可能になるように嵌合爪またはねじ止め等がされ一体に取り付け固定されていても、または必要に応じて着脱が可能な状態で一体に取り付けられた構成となすようにしてもよい。
【００１３】
さらに、一体に取り付けられる構成は、それぞれの筐体が機械的に一体に構成されることと、それぞれの必要な各構成要素部品が電気的に接続され一体に構成されることが同時に行われることが施工の上からは好ましいが、機械及び電気的な一体化が同時に行われることは必要条件ではなく、機械的に一体に構成することとは別に電気的な接続は短いリード配線を介して接続するようにしてもよい。
【００１４】
要は伝送線等の配線が複雑化し施工性が悪くならないように、照明制御装置と調光信号増幅器の必要な各構成要素部品が電気的に接続され、照明制御装置と調光信号増幅器とが一体に取り付けられるようになっていればよい。
【００１５】
請求項３に記載の照明制御システムの発明は、請求項１乃至２に記載の照明制御システムにおいて、前記照明制御装置は、調光信号増幅器を介して電源が供給されることを特徴とする。
【００１６】
請求項３の発明によれば、前記照明制御装置は、調光信号増幅器を介して電源が供給される構成とし、より施工性の優れた照明制御システムを実現することができる。
【００１７】
ここで、「前記照明制御装置は、調光信号増幅器を介して電源が供給される」は、例えば、調光信号増幅器と照明制御装置を一体に取り付ける際に、両者の電源部が電気的に接続されるように構成することでも実現できるが、それぞれの筐体が機械的に一体に構成されることと、それぞれの電源部が電気的に接続されることが同時に行われることが施工の上からは好ましいが、機械的な一体化と電源の供給とが同時に行われることは必要条件ではなく、機械的な取り付けとは別に電源部の電気的な接続を行うようにしてもよい。
【００１８】
電源部を電気的に接続するための具体的な構成、手段としては、例えば、短いリード配線を介して両者を接続するようにしてもよく、要は照明制御装置と調光信号増幅器の電源部が商用電源に対して個々に接続されるのではなく、配線が複雑化し施工性が悪くならないように両者の電源部が電気的に接続され、照明制御装置が調光信号増幅器を介して電源が供給されるようになっていればよい。
【００１９】
請求項４に記載の照明制御システムの発明は、請求項１乃至３に記載の照明制御システムにおいて、前記照明制御装置と調光信号増幅器とが、プラグイン方式により電気的な接続がなされることを特徴とする。
【００２０】
請求項４の発明によれば、前記照明制御装置と調光信号増幅器とが、プラグインにより電気的な接続がなされる構成とし、より簡易で施工性の優れた照明制御システムを実現することができる。
【００２１】
ここで、「プラグイン方式により電気的な接続がなされる」は、例えば、通常一般的に用いられているような、電気機器の筐体に「プラグ」を直に設け、このプラグを配線器具の「コンセント」に差し込んで電気的な接続を行うような方式を採用することで実現が可能であるが、その具体的な構造、方式は特にこれに限定されず、要はネジレス方式等で、格別な工具等を使用せずに簡易に電気的な接続ができる方式の全てを包含するものである。
【００２２】
請求項５に記載の照明制御システムの発明は、請求項１乃至４に記載の照明制御システムにおいて、前記照明制御装置と調光信号増幅器とが、略垂直方向に一体に取り付けられたことを特徴とする。
【００２３】
請求項５の発明によれば、前記照明制御装置と調光信号増幅器とが、略垂直方向に一体に取り付けられた構成となし、より施工性の優れた照明制御システムを実現することができる。
【００２４】
ここで、「略垂直方向に一体に取り付けられた」は、例えば、別個に構成された照明制御装置と調光信号増幅器の各筐体を略垂直方向に間隔を有して、または有さずに積み重ねることで実現できるが、厳密な角度で垂直方向に一体に取り付けられている必要はなく、多少左右に傾きをもって積み重ねられていてもよく、要は天井埋め込み穴に設置する場合等で、天井裏の深さ方向に延伸した方向に設置できるようになっていればよい。
【００２５】
請求項６に記載の照明制御システムの発明は、請求項１乃至４に記載の照明制御システムにおいて、前記調光信号増幅器が照明制御装置に対し、略水平方向に一体に取り付けられたことを特徴とする。
【００２６】
請求項６の発明によれば、前記調光信号増幅器が照明制御装置に対し、略水平方向に一体に取り付けられた構成となし、より施工性の優れた照明制御システムを実現することができる。
【００２７】
ここで、「略水平方向に一体に取り付けられた」は、例えば、別個に構成された照明制御装置と調光信号増幅器の各筐体を略水平方向に間隔を有して、または有さずに取り付けることで実現できるが、厳密な角度で水平方向に（真横に）一体に取り付けられている必要はなく、例えば角度が略４５度程度傾斜して一体に取り付けられているように、上下に傾きをもって取り付けられ、全体の高さ寸法が上述した略垂直方向に積み重ねる場合よりも低くなるようにすればよい。
【００２８】
要は、例えば、天井埋め込み穴に設置する場合等で、天井裏の深さが低く狭いときなどに、狭い天井裏に合わせて設置できるように略水平方向に一体に取り付けられていればよい。
【００２９】
請求項７に記載の照明制御システムの発明は、請求項１乃至６に記載の照明制御システムにおいて、前記照明制御装置と調光信号増幅器とが、可変可能に一体に取り付けられたことを特徴とする。
【００３０】
請求項７の発明によれば、前記照明制御装置と調光信号増幅器とが、可変可能に一体に取り付けられた構成となし、より施工性の優れた照明制御システムを実現することができる。
【００３１】
ここで、「前記照明制御装置と調光信号増幅器とが、可変可能に一体に取り付けられた」は、調光信号増幅器と照明制御装置のそれぞれが、例えば、略垂直方向になることも、または略水平方向、例えば、略４５度程度の傾斜角度になることも可能であるようにすることで実現できるが、その可変の範囲はこれに限定されず、例えば、上述した略垂直方向、または略水平方向に設置されたものにおいて、その角度の調整のために可変することをも含み、要は、全体の高さ寸法がフレキシブルに変えられるようにして、例えば、天井埋め込み穴に設置する場合等で、天井裏の深さに合わせて自由に設置できるように可変可能に取り付けられていればよい。
【００３２】
請求項８に記載の照明制御システムの発明は、請求項１乃至７に記載の照明制御システムにおいて、前記照明制御装置と調光信号増幅器とが、着脱可能に一体に取り付けられたことを特徴とする。
【００３３】
請求項８の発明によれば、照明制御装置と調光信号増幅器とが、着脱可能に一体に取り付けられた構成となし、より施工性の優れた照明制御システムを実現することができる。
【００３４】
ここで、「着脱可能に一体に取り付けられた」は、照明制御装置と調光信号増幅器が、機械的に着脱できるように構成することで実現できるが、着脱するための方式は、それぞれの筐体が機械的に着脱されることと、それぞれの各構成要素部品が電気的に着脱されることが同時に行われることが施工の上からは好ましいが、機械及び電気的な着脱が同時に行われることは必要条件ではなく、機械的に着脱されることとは別に電気的な着脱を行うようにしてもよい。
【００３５】
また、着脱の構成、手段は、例えば、簡単に手で両者を嵌め込んだり引き離したりすることで着脱ができることが好ましいが、これには限定されず、嵌合爪またはねじ止め等で固定された両者をドライバー等の工具で分離し、かつ再度固定することができるものであってもよい。要は照明制御装置と調光信号増幅器の保守、点検や修理等の際などに、必要に応じて照明制御装置と調光信号増幅器とが着脱できるように一体に取り付けられて構成されていればよい。
【発明の効果】
【００３６】
請求項１の発明によれば、照明制御装置と調光信号増幅器とを信号を交換し得るように電気的に接続して一体に取り付けた構成となしたので、施工性の優れた照明制御システムを提供することができる。
【００３７】
請求項２の発明によれば、照明制御装置の調光信号出力部と調光信号増幅器の調光信号入力部とを接続して、調光信号を調光信号入力部に入力するようにして一体に取り付けた構成となしたので、施工性の優れた照明制御システムを提供することができる。
【００３８】
請求項３の発明によれば、照明制御装置は、調光信号増幅器を介して電源が供給される構成としたので、より施工性の優れた照明制御システムを提供することができる。
【００３９】
請求項４の発明によれば、照明制御装置と調光信号増幅器とが、プラグイン方式により電気的な接続がなされる構成としたので、簡易でより施工性の優れた照明制御システムを提供することができる。
【００４０】
請求項５の発明によれば、照明制御装置と調光信号増幅器とが、略垂直方向に一体に取り付けられた構成となしたので、より施工性の優れた照明制御システムを提供することができる。
【００４１】
請求項６の発明によれば、調光信号増幅器が照明制御装置に対し、略水平方向に一体に取り付けられた構成となしたので、より施工性の優れた照明制御システムを提供することができる。
【００４２】
請求項７の発明によれば、照明制御装置と調光信号増幅器とが、可変可能に一体に取り付けられた構成となしたので、より施工性の優れた照明制御システムを提供することができる。
【００４３】
請求項８の発明によれば、照明制御装置と調光信号増幅器とが、着脱可能に一体に取り付けられた構成となしたので、より施工性の優れた照明制御システムを提供することができる。
【発明を実施するための最良の形態】
【００４４】
以下、本発明に係る照明制御システムの第一の実施形態について説明する。
【実施例１】
【００４５】
図１〜図６は、本発明照明制御システムの第一の実施形態を示し、図１は照明制御システムの概略構成図、図２は照明制御システムにおける照明制御装置と調光信号増幅器の接続状態を示す斜視図、図３は照明制御装置を示し、（ａ）は正面図、（ｂ）は底面図、図４は調光信号増幅器を示し、（ａ）は正面図、（ｂ）は背面図、（ｃ）は上面図、図５は照明制御システムにおける照明制御装置と調光信号増幅器の接続状態を一部を切除して示す側面図、図６は照明制御システムをビル施設の天井に設置した状態を示す説明図である。
【００４６】
本実施形態の照明制御システムは、ビル施設に設置された照明制御システムで、図１の概略構成図に破線で囲んで示すように照明制御装置Ａと調光信号増幅器Ｂで構成され、調光信号増幅器Ｂに商用電源Ｃ及び複数の照明負荷である照明器具Ｄが接続されている。
【００４７】
照明制御装置Ａは、電源部１０と、被照明空間であるビルの部屋の状態を検出する検出手段１１と、照明器具Ｄを調光制御する信号を出力する調光信号出力部１２と、照明器具の調光レベル等を設定する設定部１３と、リモート式の送信機１４により調光レベル等を設定するためのワイヤレス送受信部１５と、検出手段１１からの信号及び設定部１３、リモート送信機１４によって設定されたデータに基づいて調光信号出力部１２を制御する制御部１６とで構成されている。
【００４８】
調光信号増幅器Ｂは、電源部２０と、照明制御装置Ａの調光信号出力部１２からの調光信号が入力される調光信号入力部２１と、入力された調光信号を増幅する増幅部２２と、増幅された調光信号を出力する複数系統（本実施形態では２系統）の調光信号出力部２３、２３で構成され、調光信号出力部には部屋の天井に設置された２系列の複数の照明器具Ｄが接続されている。
【００４９】
調光信号増幅器Ｂの電源部２０には商用電源Ｃから電源が供給され、さらに調光信号増幅器の電源部２０と照明制御装置Ａの電源部１０とは、後述するようにプラグイン方式により電気的な接続がなされるようになっており、その結果照明制御装置Ａは調光信号増幅器Ｂを介して電源が供給されるようになっている。
【００５０】
さらに、照明制御装置Ａの調光信号出力部１２と調光信号増幅器Ｂの調光信号入力部２１も、後述するようにプラグイン方式により電気的な接続がなされるようになっている。
【００５１】
次に、照明制御装置Ａの詳細構成につき説明する。
【００５２】
照明制御装置Ａの電源部１０は、各構成要素部品である検出手段１１、調光信号出力部１２、設定部１３、ワイヤレス送受信部１５、制御部１６に所定の電源を供給する。
【００５３】
検出手段１１は、部屋の明るさを検知する光センサー等よりなるあかるさ検出手段１１ａと、部屋の人の存否を赤外線センサー等により検知する人体検出手段１１ｂで構成され、あかるさ検出手段１１ａと人体検出手段１１ｂは、後述するように照明制御装置Ａの筐体の下面に設置して照明制御装置Ａが各検出手段を一体に有する構成をなし、それぞれ検出した信号をデジタル信号に変換し、照明制御装置Ａに内蔵された制御部１６に伝送するようになっている。
【００５４】
設定部１３は、タイマー設定と調光度の設定を行うもので、照明制御装置Ａの操作部（図示せず）に設けられた液晶モニター及び設定ボタンを操作することにより所定のタイマー設定及び調光度の設定ができるようになっている。設定した状態のデータは制御部１６に伝送される。
【００５５】
同様に、リモート式の送信機１４は、照明制御装置Ａから離れた位置、例えば、部屋の壁面などから、その操作部（図示せず）の液晶モニター及び設定ボタンを操作することにより所定のタイマー設定及び調光度の設定ができるようになっており、設定した状態のデータは無線でワイヤレス送受信部１５に送信して制御部１６に伝送される。
【００５６】
制御部１６は、メモリー内蔵のマイクロコンピュータ等で構成され、設定部１３または送信機１４からのタイマー設定の内容に従い所定の時間制御を行い、さらに検出手段１１のあかるさ検出手段１１ａまたは人体検出手段１１ｂからの信号と、設定部１３または送信機１４からの調光度等のデータとを比較演算し、その結果を調光信号出力部１２に伝送し、この調光信号出力部とプラグイン方式で接続された調光信号増幅器Ｂの調光信号入力部２１に伝送する。
【００５７】
次に、調光信号増幅器Ｂの詳細構成につき説明する。
【００５８】
調光信号増幅器Ｂの電源部２０は、各構成要素部品である調光信号入力部２１、増幅部２２、調光信号出力部２３、２３に所定の電源を供給する。
【００５９】
調光信号入力部２１は、上述のように照明制御装置Ａの調光信号出力部１２とプラグイン方式で接続され、調光信号出力部１２から調光信号を受信して増幅部２２に調光信号を伝送する。
【００６０】
増幅部２２は、調光信号入力部２１からの調光信号を受信し、ＰＷＭ信号の周波数、デューティー比は変えずに電流を増幅させ、接続された照明器具Ｄの機種、台数等に適した調光信号を２系列の調光信号出力部出力２３、２３を介して複数の各照明器具Ｄに伝送する。
【００６１】
各照明器具Ｄは複数の蛍光ランプ及び点灯装置で構成され、照明制御装置Ａの制御部１６で制御された調光信号が調光信号増幅器Ｂの増幅部２２で増幅され、その増幅された所定の調光信号に基づき点灯装置を介して明るさを増減して所望の照明を適宜行う。
【００６２】
なお、上述した本実施形態における照明制御装置Ａは、施工するビル施設の状況、例えば、施工する部屋の照明器具が少なく、調光信号を増幅する必要がなく調光信号増幅器Ｂを使用しない施工の場合には、上記に説明した構成内容の照明制御装置単独で、調光信号を増幅する必要のない照明器具に対しても通常の照明制御装置として使用できる構成となっている。
【００６３】
調光信号を増幅する必要のない照明器具に対して施工する場合には、照明制御装置Ａに調光信号増幅器Ｂを接続せずに、照明制御装置Ａの電源部１０に直接、商用電源Ｃを接続し、調光信号出力部１２に直接、照明器具Ｄを接続して、増幅しない通常の調光信号により照明器具を調光制御することができる。
【００６４】
次に、照明制御装置Ａと調光信号増幅器Ｂの構成及び接続状態を図２〜図５に従い説明する。
【００６５】
図２は照明制御装置Ａと調光信号増幅器Ｂの接続状態を示す斜視図で、照明制御装置Ａは合成樹脂製の略円筒箱状をなす筐体１７と、筐体の底面に一体に設けられた合成樹脂製の円盤状のカバー１７ａと、カバーと筐体の付け根部に一端が一体に埋め込み成形されて支持され、他端の先端部が略４５度の角度で左右対称に斜め上方に突出した一対の取付ばね１７ｂ、１７ｂからなり、取付ばねは金属製のばね板材から構成されている。
【００６６】
筐体１７内には、照明制御装置Ａの各構成要素部品である電源部１０、あかるさ検出手段１１ａ、人体検出手段１１ｂ、調光信号出力部１２、設定部１３、ワイヤレス送受信部１５、制御部１６が一体に実装されて収納されている。
【００６７】
円筒箱状をなす筐体１７には、取付ばね１７ｂ、１７ｂの取り付け方向と直行する正面側の壁面に上下に２段の段部１７ｃ、１７ｄが形成され、上段の段部１７ｃの壁面上部に電源部１０の電源端子台ａが設けられ、電源端子台ａの上部には図３（ａ）左方より電源線１０ａ、１０ａとアース線１０ｂの３個の凹孔雌形の接続端子群が横並びに、その凹孔を露出するようにして設けられている。
【００６８】
また電源端子台ａの下部には、上記電源線１０ａ、１０ａ、アース線１０ｂと同様の構成、作用をなす電源送り線用の接続端子１０ｃ、１０ｃ、１０ｄが横並びに設けられている。
【００６９】
上記各接続端子群はリリースボタン付きの端子で構成されている。
【００７０】
さらに筐体１７の下段の段部１７ｄの壁面には端子台ｂが設けられ、端子台ｂは図３（ａ）左方より調光信号出力部１２の出力端子１２ａ、１２ａ、タイマー等の外部接点入力端子１２ｂ、１２ｂ、人感センサー等の人体検出手段の子機入力端子１２ｃ、１２ｃ、さらに手動で調光制御するための外部調光器の接続端子１２ｄ、１２ｄ、計８個の接続端子群が横並びに設けられ、上記の各接続端子群は凹孔雌形の接続端子よりなり、リリースボタン付きの端子で構成されている。
【００７１】
筐体１７の下方には、あかるさ検出手段１１ａ及び人体検出手段１１ｂが設置され、それぞれの受光部が筐体底面に設けられたカバー１７ａの底面から露出するように設けられている。さらにカバー１７ａには、リモコン式の送信機１４からの信号を受信するリモコン受光部１５ａ及び送信機１４に信号を送信するリモコン送信ＬＥＤ１５ｂ、さらに緑色ＬＥＤからなる動作表示器１８がカバー１７ａの底面から露出するように設けられている。
【００７２】
上記のように構成された照明制御装置Ａは、上述にも説明したように、施工するビル施設の状況、例えば、施工する部屋の照明器具が少なく、調光信号を増幅する必要がなく調光信号増幅器Ｂを使用しない施工の場合には、上記に説明した構成内容の照明制御装置Ａとして単独で使用できる構成となっている。
【００７３】
次に、調光信号増幅器Ｂの構成につき説明する。
【００７４】
調光信号増幅器Ｂは、照明制御装置Ａの筐体１７と略同形状の合成樹脂製の略円筒箱状をなす筐体２４からなり、筐体２４内に上述の各構成要素部品である電源部２０、調光信号入力部２１、増幅部２２、調光信号出力部２３、２３が一体に実装されて収納されている。
【００７５】
筐体２４の背面側の壁面には、上述の照明制御装置Ａの筐体１７に設けられた段部１７ｃ、１７ｄと合致する形状の２段の段部２４ａ，２４ｂが形成され、両者の筐体１７、２４の各段部を突き合わせ合致させて組み立てることにより、照明制御装置Ａの筐体１７と調光信号増幅器Ｂの筐体２４が略垂直方向に一体となり、両者が組み合わされた状態での外形形状が連続した長い略円筒箱状をなすように構成されている。
【００７６】
筐体２４の正面側の壁面上部には、電源部２０の電源端子台ｄが設けられ、電源端子台ｄには図４（ａ）左方より商用電源Ｃに接続するための電源線２０ａ、２０ａとアース線２０ｂの３個の凹孔雌形の接続端子群が横並びに、その凹孔を露出するように設けられている。上記各接続端子群はリリースボタン付きの端子で構成されている。
【００７７】
さらに、筐体２４の背面側の壁面に位置する上段の段部２４ａに電源端子台ｅが設けられ、この電源端子台ｅには、図４（ｂ）右方より電源線２０ｃ、２０ｃとアース線２０ｄの３個の凸状雄形の接続端子群が横並びに突出して設けられている。
【００７８】
この電源端子台ｅの凸状雄形３個の接続端子群は、前記照明制御装置Ａの電源端子台ａの凹孔雌形３個の接続端子群と下記の表１の矢印に示す対応関係で位置し、接続される。
【００７９】
【表１】
2005228607.tif 000003
したがって、照明制御装置Ａの筐体１７と調光信号増幅器Ｂの筐体２４のそれぞれの段部を突き合わせて一体に組み立てる際に、同時に、上記表１に示す関係で、電源端子台ｅの凸状雄形３個の接続端子群が照明制御装置Ａの電源端子台ａの凹孔雌形３個の接続端子群にそれぞれ差し込まれ、所謂プラグイン方式で両者の電気的な接続がなされるようになっている。
【００８０】
商用電源Ｃに接続するための電源端子台ｄの３個の接続端子群と、電源端子台ｅの凸状雄形３個の接続端子群は下記の表２の矢印で示す対応関係で、それぞれ筐体２４内部でリード線により電気的に接続されている。（図５破線参照）
【００８１】
【表２】
2005228607.tif 000004
その結果、商用電源Ｃからの電源は、凹孔雌形の電源線２０ａ、２０ａ、アース線２０ｂの３個の接続端子群から調光信号増幅器Ｂの電源部２０に供給されるとともに、凸状雄形の電源線２０ｃ、２０ｃ、アース線２０ｄの３個の接続端子群と、照明制御装置Ａの凹孔雌形の電源線１０ａ、１０ａ、アース線１０ｂの３個の接続端子群を介して照明制御装置Ａの電源部１０にも供給される。
【００８２】
さらに筐体２４背面の下段の段部２４ｂには端子台ｆが設けられ、この端子台ｆには、図４（ｂ）右方より調光信号入力部２１の入力端子２１ａ、２１ａ、外部接点入力端子２１ｂ、２１ｂ、人体検出手段の子機入力端子２１ｃ、２１ｃ、外部調光器の接続端子２１ｄ、２１ｄ、計８個の凸状雄形の接続端子群が横並びに突出して設けられている。
【００８３】
この端子台ｆの凸状雄形８個の接続端子群は、前記照明制御装置Ａの端子台ｂの凹孔雌形８個の接続端子群と下記の表３の矢印に示す対応関係で位置し、接続される。
【００８４】
【表３】
2005228607.tif 000005
したがって、照明制御装置Ａの筐体１７と調光信号増幅器Ｂの筐体２４のそれぞれの段部を突き合わせて一体に組み立てる際に、同時に、上記表３に示す関係で、端子台ｆの凸状雄形８個の接続端子群が、照明制御装置Ａの端子台ｂの凹孔雌形８個の接続端子群にそれぞれ差し込まれ、所謂プラグイン方式で両者の電気的な接続がなされるようになっている。
【００８５】
また、上記端子台ｆの凸状雄形８個の接続端子群の構成は、図５に、端子の一部を切り欠いて示すように、凸状雄形の端子に連続して一体に凹孔雌形の端子が形成されている構造となっており、その凹孔雌形の端子が筐体２４正面側の壁面下部に設けられた端子台ｇに、その各凹孔雌形の接続端子の凹孔が露出するようになっている。
【００８６】
その結果、端子台ｇの接続端子群は、図４（ａ）左方より調光信号出力部１２の出力端子２２ａ、２２ａ、タイマー等の外部接点入力端子２２ｂ、２２ｂ、人感センサー等の人体検出手段の子機入力端子２２ｃ、２２ｃ、さらに手動で調光制御するための外部調光器の接続端子２２ｄ、２２ｄ、計８個の接続端子として機能する構成となっている。これらの各接続端子群はリリースボタン付きの端子で構成されている。
【００８７】
上記の構成により、照明制御装置Ａに調光信号増幅器Ｂを一体に組み合わせた際に、照明制御装置Ａの端子台ｂが、調光信号増幅器Ｂの筐体２４により覆われて塞がれ、端子台ｂの接続端子群への伝送線の接続が出来ない状態になっても、筐体２４正面下部に調光信号出力部１２の出力端子２２ａ、２２ａ、外部接点入力端子２２ｂ、２２ｂ、人体検出手段の子機入力端子２２ｃ、２２ｃ、外部調光器の接続端子２２ｄ、２２ｄの接続端子群が露出しているので、各接続端子群への伝送線の接続が可能となる。
【００８８】
なお、この際、端子台ｇの調光信号出力部１２の出力端子２２ａ、２２ａは、調光信号増幅器Ｂを経由しない配線となるため、調光信号を増幅する必要のない照明器具への接続用として使用することが可能となる。
【００８９】
また筐体２４の上面には、調光信号出力部２３と照明器具Ｄとを伝送線を介して接続するための端子台ｈが設けられ、この端子台ｈには２系列の対をなす、図４（ｃ）左方より調光信号出力部２３の出力端子２３ａ、２３ａ、２３ｂ、２３ｂ、計４個の凹孔雌形の接続端子群が横並びに、その凹孔が上面に露出するようにして設けられている。上記各接続端子群はリリースボタン付きの端子で構成されている。
【００９０】
上述のように構成された照明制御装置Ａと調光信号増幅器Ｂの筐体１７及び筐体２４は、図２、図５に示すように照明制御装置Ａの筐体１７と調光信号増幅器Ｂの筐体２４の各段部１７ｃ、１７ｄ、２４ａ、２４ｂを突き合わせて合致させて組み立てることにより、照明制御装置Ａの上面に調光信号増幅器Ｂが積み重ねられた状態で略垂直方向に一体に取り付けられて構成される。
【００９１】
この両者を積み重ねて一体に構成する際には、調光信号増幅器Ｂの電源端子台ｅに設けられた３個の凸状雄形の接続端子群を、照明制御装置Ａの電源端子台ａの上部に設けられた３個の凹孔雌形の接続端子群１０ａ、１０ａ、１０ｂに対向させる。
【００９２】
さらに、調光信号増幅器Ｂの端子台ｆに設けられた計８個の凸状雄形の接続端子群を、照明制御装置Ａの端子台ｂに設けられた計８個の接続端子群に対向させる。
【００９３】
上記のように各端子を対向させた状態で、調光信号増幅器Ｂの筐体２４を照明制御装置Ａの筐体１７に、図５中矢印で示すように右方に押し込む。
【００９４】
これにより、前記表１及び表３に示す関係で、各凸状雄形の接続端子群が各凹孔雌形の接続端子群に差し込まれ、所謂プラグイン方式により両者が電気的に接続された状態で一体にされる。
【００９５】
図中２５ａは調光信号増幅器Ｂの筐体２４の背面に設けられた嵌合爪で、この嵌合爪を照明制御装置Ａの筐体１７の背面に設けられた嵌合片２５ｂの係合孔２５ｃに係合させることにより、照明制御装置Ａの筐体１７と調光信号増幅器Ｂの筐体２４とを略垂直方向に積み重ねた状態で固定されるようになっている。
【００９６】
上記のように一体に固定された照明制御装置Ａの筐体１７と調光信号増幅器Ｂの筐体２４は着脱が可能で、例えば、保守、点検や修理になどの際に、一体に構成された照明制御装置Ａと調光信号増幅器Ｂを取り外す場合には、嵌合片２５ｂの上部を多少外側に傾けて嵌合爪２５ａと係合孔２５ｃの係合を解除し、さらに調光信号増幅器Ｂの筐体２４を図５中左方に移動すれば、照明制御装置Ａと調光信号増幅器Ｂのそれぞれの接続端子群の接続が解除されて、所謂プラグイン方式で接続されていた両者が電気的にも機械的にも解除された状態で取り外すことができる。
【００９７】
次に、上述のように構成された照明制御装置Ａと調光信号増幅器Ｂからなる照明制御システムをビル施設に設置する施工方法につき説明する。
【００９８】
図６において、Ｅはビルの１室である部屋の天井で、図中上方が天井裏、下方が部屋で、Ｆは天井に形成された埋込穴である。
【００９９】
まず、調光信号を増幅する必要のある照明器具に対する施工方法につき説明する。
【０１００】
上述のように、照明制御装置Ａの筐体１７と調光信号増幅器Ｂの筐体２４の各段部１７ｃ、１７ｄ、２４ａ、２４ｂを突き合わせて合致させて組み立てることにより、照明制御装置Ａの上面に調光信号増幅器Ｂが略垂直方向に積み重ねられた状態で一体に取り付けて構成し、両者の電気的な接続並びに機械的な固定を行う。
【０１０１】
この際、照明制御装置Ａと調光信号増幅器Ｂとの間の前記表１及び表３に示す関係の電気的な配線は、すでにプラグイン方式により両者の筐体の組み立て作業と同時になされており、リード線等を使用した別個の配線作業を行う必要はない。
【０１０２】
次に、調光信号増幅器Ｂの上面の端子台ｈに設けられた調光信号出力部２３の出力端子２３ａ、２３ａ及び２３ｂ、２３ｂに、２系列の照明器具Ｄ、Ｄを伝送線２６ａにより接続する。
【０１０３】
次に、商用電源Ｃの２本の電源線２６ｂ、２６ｂと１本のアース線２６ｃを、調光信号増幅器Ｂの電源端子台ｄに設けられた電源線２０ａ、２０ａ、アース線２０ｂの３個の凹孔雌形の接続端子群にそれぞれ接続する。
【０１０４】
これにより商用電源Ｃと調光信号増幅器Ｂの電源部２０が、さらにこの電源部２０を介して照明制御装置Ａの電源部１０が接続され、照明制御装置Ａは調光信号増幅器Ｂを介して電源が供給される状態となる。
【０１０５】
さらに、施工の仕様内容に応じて、タイマー、人体検出手段の子機、さらには外部調光器等の機器を設置する場合には、それぞれの機器を伝送線を介して調光信号増幅器Ｂの端子台ｇに設けられた外部接点入力端子２２ｂ、２２ｂ、子機入力端子２２ｃ、２２ｃ、外部調光器の接続端子２２ｄ、２２ｄにそれぞれ対応させて接続する。
【０１０６】
上記のように組み立てられ配線された照明制御装置Ａと調光信号増幅器Ｂは、次に部屋の天井裏に収納設置される。
【０１０７】
まず、照明制御装置Ａの円盤状のカバー１７ａを下に、調光信号増幅器Ｂを上にして、上部に位置する調光信号増幅器Ｂ側から埋込穴Ｆに挿入し、照明制御装置Ａの筐体１７に斜め上方に突出して設けられた一対の取付ばね１７ｂ、１７ｂを、両側からつぼめて埋込穴Ｆに引掛ける。
【０１０８】
さらに、照明制御装置Ａの筐体１７を押し上げて、円盤状カバー１７ａの裏面を天井面に接触させ、カバー１７ａで埋込穴Ｆを塞いだ状態にする。
【０１０９】
これにより組み立てられ配線された照明制御装置Ａと調光信号増幅器Ｂは、一対の取付ばね１７ｂ、１７ｂが埋込穴Ｆの内面に弾力をもって係止されることにより天井に設置され、取付作業は完了する。
【０１１０】
この際、照明制御装置Ａの円盤状のカバー１７ａが天井に面することにより、あかるさ検出手段１１ａ、人体検出手段１１ｂ、リモコン受光部１５ａ及びリモコン送信ＬＥＤ１５ｂ、さらに動作表示器１８が天井に面し、部屋の床面に対向するように配置される。
【０１１１】
次に上記のように構成、設置された照明制御システムの作動につき説明する。
【０１１２】
上記のように施工されて設置された照明制御システムに商用電源を供給すると、調光信号増幅器Ｂの電源部２０に電源が供給され、さらに照明制御装置Ａには調光信号増幅器Ｂを介して電源が供給される。
【０１１３】
さらに、照明制御装置Ａの制御部１６が作動を開始し、設定部１３または送信機１４からのタイマー設定の内容に従い所定の時間制御を行う。さらにあかるさ検出手段１１ａまたは人体検出手段１１ｂからの信号と、設定部１３または送信機１４からの調光度等のデータとを比較演算し、その結果を調光信号出力部１２に伝送し、この調光信号出力部１２とプラグイン方式で接続された調光信号増幅器Ｂの調光信号入力部２１に伝送する。
【０１１４】
調光信号増幅器Ｂの調光信号入力部２１は増幅部２２に調光信号を伝送し、増幅部２２で調光信号の電流を増幅させ、接続された照明器具Ｄの機種、台数等に適した調光信号を２系列の調光信号出力部出力２３、２３を介して各照明器具Ｄに伝送する。
【０１１５】
これにより各照明器具Ｄは増幅された所定の調光信号に基づき明るさを増減して所望の照明を適宜行う。
【０１１６】
次に、調光信号を増幅する必要のない照明器具に対する施工は、照明制御装置Ａに調光信号増幅器Ｂを接続せずに、照明制御装置Ａ単独で使用すればよい。
【０１１７】
この照明制御装置Ａ単独で使用する場合には、照明制御装置Ａの端子台ｂに設けられた調光信号出力部１２の出力端子１２ａ、１２ａに照明器具Ｄを伝送線を介して接続し、商用電源Ｃの２本の電源線と１本のアース線を、電源端子台ａの電源線１０ａ、１０ａ、アース線１０ｂの３個の凹孔雌形の接続端子にそれぞれ接続すればよい。
【０１１８】
さらに、施工の仕様内容に応じて、タイマー、人体検出手段の子機、さらには外部調光器等の機器を設置する場合には、それぞれの機器を伝送線を介して照明制御装置Ａの端子台ｂに設けられた外部接点入力端子１２ｂ、１２ｂ、子機入力端子１２ｃ、１２ｃ、さらに外部調光器の接続端子１２ｄ、１２ｄにそれぞれ対応させて接続する。
【０１１９】
上記のように配線された照明制御装置Ａは、上述の調光信号を増幅する場合の施工と同様の方法で部屋の天井裏に収納設置される。
【０１２０】
本実施形態において、照明制御装置Ａは調光信号を増幅する必要がなく調光信号増幅器Ｂを使用しない照明器具に対する施工の場合に、照明制御装Ａ単独で使用できる構成としたが、調光信号を増幅する必要のある照明器具を施工するための専用の照明制御装置となしてもよい。
【０１２１】
照明制御装置Ａと調光信号増幅器Ｂの各端子は、プラグイン方式によって電気的な接続をなすようにしたが、短いリード線によって個々に配線作業を行い接続させるようにしてもよい。
【０１２２】
調光信号増幅器Ｂにおいて、調光信号出力部２３と照明器具Ｄとを接続するための端子台ｈを、筐体２４の上面に設けたが、上面でなく筐体２４の正面、側面または背面に設け、伝送線との接続作業が上方からでなく側面方向から行えるようにしてさらに施工性をよくするようにしてもよい。
【０１２３】
また、照明制御装置Ａの筐体１７と調光信号増幅器Ｂの筐体２４を固定するための嵌合爪２５ａ及び嵌合片２５ｂによる固定手段は、上述した各端子のプラグイン方式による電気的な接続で、両者の機械的な固定も十分に行われる場合には省略してもよい。
【０１２４】
さらに、照明制御装置Ａの上面に調光信号増幅器Ｂを略垂直方向に積み重ねられた状態で固定して一体に構成したが、角度の調整のために可変できるようにしてもよい。
【０１２５】
本実施形態によれば、照明制御装置が検出手段を一体に有する構成となして検出手段と照明制御装置との間の配線作業を不要となすと共に、照明制御装置の調光信号出力部と調光信号増幅器の調光信号入力部を接続し、さらに照明制御装置の電源を調光信号増幅器を介して供給するように両者の電源部をそれぞれ接続して一体に取り付けた構成となしたので、電源と照明制御装置との間、さらに照明制御装置と調光信号増幅器との間の配線作業をも不要となし、調光信号増幅器を増設しない通常の照明制御装置による場合と同様の単純な配線作業となり施工時間の短縮がはかれる施工性の優れた照明制御システムを提供することができる。
【０１２６】
さらに、照明制御装置と調光信号増幅器とがプラグイン方式により電気的な接続がなされる構成としたので、個々の配線作業が不要となりより簡易で施工時間の短縮がはかれ、より施工性の優れた照明制御システムを提供することができる。
【０１２７】
また、プラグイン方式により、照明制御装置と調光信号増幅器との電気的な接続に合わせて、両者の筐体の機械的な固定をも行う構成にすることも可能となり、組立作業が簡素化されて、より施工性の優れた照明制御システムを提供することができる。
【０１２８】
さらに、照明制御装置と調光信号増幅器とが略垂直方向に一体に取り付けられた構成となしたので、天井埋込穴から天井深さ方向に単純に挿入するだけの簡易な作業で設置することができ、より施工性の優れた照明制御システムを提供することができる。
【０１２９】
照明制御装置と調光信号増幅器とが、着脱可能に一体に取り付けられた構成となしたので、例えば、保守、点検や修理になどの際に、一体に構成された照明制御装置Ａと調光信号増幅器Ｂを取り外すことが可能となり保守、点検や修理の作業がし易くなると共に、照明制御装置は単独で調光信号増幅器を増設する必要のない通常の照明制御装置による照明制御システムの施工にも使用できる構成することも可能となり、汎用性が高まり、より施工性の優れた照明制御システムを提供することができる。
【０１３０】
さらに、照明制御装置の筐体と調光信号増幅器の筐体とが、それぞれの側壁に形成した段部を突き合わせて合致させて組み立て一体になるように構成したので、各端子は略垂直方向に面する壁面に設けられた構成となり、湿気の多い天井裏に設置された場合、湿気が結露し端子部分に付着しても、略垂直な面に沿って流れ落ち、端子部分に滞留することが防止できるので、結露による短絡、漏電等が発生する恐れがない利点を有すると共に、伝送線と各端子との接続作業が側面方向から一連に連続して行うこともでき、より施工性の優れた照明制御システムを提供することができる。
【０１３１】
次に、本発明に係る照明制御システムの第二の実施形態について説明する。
【実施例２】
【０１３２】
図７及び図８は、本発明照明制御システムの第二の実施形態を示し、図７は照明制御システムにおける照明制御装置と調光信号増幅器の接続状態を示す側面図、図８は照明制御システムをビル施設の天井に設置した状態を示す説明図で、各図には第一の実施形態と同一部分には同一符号を付してある。
【０１３３】
本実施形態の照明制御システムは、第一の実施形態における照明制御装置Ａの筐体１７と調光信号増幅器Ｂの筐体２４とを、その各段部１７ｃ、１７ｄ及び２４ａ、２４ｂを突き合わせ合致させて上下に略垂直方向に積み重ねて一体に取り付けて構成する方式に代えて、調光信号増幅器Ｂの略円筒箱状の筐体２４が照明制御装置Ａの略円筒箱状をなす筐体１７に対し、略水平方向に一体に取り付けて構成するものである。
【０１３４】
すなわち、照明制御装置Ａの略円筒箱状をなす筐体１７の上部に、水平面に対し斜め略４５度の角度を持った傾斜面３０と、この傾斜面と９０度の角度を有して成形されたガイド３０ａを設け、調光信号増幅器Ｂの略円筒箱状筐体２４の側面を、そのガイド３０ａに沿って、図７中の矢印方向に移動させて底面３１を筐体１７の傾斜面３０に合致させて組み立て、調光信号増幅器Ｂの略円筒箱状の筐体２４が照明制御装置Ａの略円筒箱状をなす筐体１７の垂直な軸線に対し、斜め上方に傾斜する略水平方向に（水平面に対し略４５度の角度を有して）一体に構成する。
【０１３５】
本実施形態においては、照明制御装置Ａの電源端子台ａ及び端子台ｂは略円筒箱状をなす筐体１７の傾斜面３０に設け、この電源端子台ａ及び端子台ｂと接続される調光信号増幅器Ｂ側の電源端子台ｅと端子台ｆは筐体２４の底面３１に設ける。
【０１３６】
また、調光信号増幅器Ｂの電源端子台ｄ、端子台ｇ及び端子台ｈは筐体２４の上面に設け、電源端子台ｄと底面に設けられた電源端子台ｅは筐体２４内部でリード線により接続され（図７破線）、さらに端子台ｇと端子台ｆとは、第一の実施形態のように一体に構成された特殊な端子構成ではなく、筐体２４内部でリード線により接続されている（図７破線）。
【０１３７】
また、保守、点検や修理になどの際に、一体に構成された照明制御装置Ａと調光信号増幅器Ｂを取り外す場合には、調光信号増幅器Ｂの筐体２４を図７の矢印方向と逆方向に移動すれば、照明制御装置Ａと調光信号増幅器Ｂのそれぞれの端子の接続が解除されて、所謂プラグイン方式で接続されていた両者が電気的にも機械的にも解除された状態で取り外すことができる。
【０１３８】
その他、本実施形態における照明制御装置Ａと調光信号増幅器Ｂの構成は、第一の実施形態と同様である。
【０１３９】
上記のように本実施形態では、調光信号増幅器Ｂの略円筒箱状の筐体２４が照明制御装置Ａの略円筒箱状をなす筐体１７に対し、斜め上方に傾斜して一体に構成されているので、天井裏の狭いビル施設等に設置する場合に好適である。
【０１４０】
すなわち、図８に示すように傾斜して設けられた調光信号増幅器Ｂを上にして埋込穴Ｆに挿入し、外形が略「＞」形に曲った外形の形状に合わせて沿うように、図８中の矢印に示すように回転させながら挿入すればよく、天井深さ方向の高さが狭い天井裏でも、天井裏に引っ掛かることなく円滑に、かつ確実に挿入設置することができる。
【０１４１】
本実施形態において、調光信号増幅器Ｂの筐体２４が照明制御装置Ａの筐体１７に対し、斜め上方に傾斜する略水平方向に（水平面に対し略４５度の角度を有して）一体に構成するようにしたが、上方に傾斜する程度、換言すれば、水平面に対する角度は４５度に限らず、３０度、６０度などでもよく、０〜９０度以下の角度を施工の仕様に合わせて適宜選択し角度を決定すればよい。
【０１４２】
さらに、調光信号増幅器Ｂの筐体２４が照明制御装置Ａの筐体１７に対し、斜め上方に傾斜する略水平方向に固定して一体に構成したが、角度の調整のために可変できるようにしてもよい。
【０１４３】
本実施形態によれば、調光信号増幅器Ｂの略円筒箱状の筐体２４が照明制御装置Ａの略円筒箱状をなす筐体１７の垂直な軸線に対し、斜め上方に傾斜して略水平方向に一体に構成されているので、天井裏の狭いビル施設等に設置することが可能となり、より施工性の優れた照明制御システムを提供することができる。
【０１４４】
さらに、各接続端子群は水平面に対し傾斜した面に設けられた構成となり、湿気が結露し端子部分に付着しても、傾斜した面に沿って流れ落ち、端子部分に滞留することが防止できるので、結露による短絡、漏電等が発生する恐れがない利点を有すると共に、伝送線と各端子との接続作業が側面上方から一連に連続して行うこともでき、より施工性の優れた照明制御システムを提供することができる。
【０１４５】
その他の構成・作用・効果は第一の実施形態と同様である。
【０１４６】
次に、本発明に係る照明制御システムの第三の実施形態について説明する。
【実施例３】
【０１４７】
図９は第三の実施形態の照明制御システムにおける照明制御装置と調光信号増幅器の接続状態を一部を切除して示す側面図で、第一、第二の実施形態と同一部分には同一符号を付してある。
【０１４８】
本実施形態の照明制御システムは、第一の実施形態における照明制御装置Ａの筐体１７と調光信号増幅器Ｂの筐体２４とを、その各段部１７ｃ、１７ｄ及び２４ａ、２４ｂを突き合わせ合致させて上下に略垂直方向に積み重ねて一体に取り付けて構成する方式に代えて、照明制御装置Ａの筐体１７と調光信号増幅器Ｂの筐体２４とをフレキシブルな蛇腹で接続して、照明制御装置Ａと調光信号増幅器Ｂとが可変可能に一体に取り付けられた構成とするものである。
【０１４９】
すなわち、蛇腹４０は、柔軟性を有する合成樹脂または天然ゴムもしくは合成ゴムからなり、蛇腹部分に連続して上端及び下端に一体に略円筒状をなす取付部４０ａ、４０ｂを形成する。
【０１５０】
照明制御装置Ａと調光信号増幅器Ｂの取り付けに際しては、照明制御装置Ａの略円筒箱状をなす筐体１７の上端部を、蛇腹の下端の取付部４０ｂに嵌合し、さらに、調光信号増幅器Ｂの略円筒箱状筐体２４の下端部を蛇腹の上端の取付部４０ａに嵌合して接続する。
【０１５１】
これにより、図９中一点鎖線で示すように調光信号増幅器Ｂの筐体２４が照明制御装置Ａの筐体１７に対し、蛇腹４０を屈曲の支点としてフレキシブルに自由な角度で可動できるように一体に構成される。
【０１５２】
本実施形態においては、照明制御装置Ａの電源端子台ａ及び端子台ｂは円筒箱状をなす筐体１７の上面に、また調光信号増幅器Ｂ側の電源端子台ｅと端子台ｆは筐体２４の底面に設け、これらの電源端子台及び端子台は各端子に接続される端子を内蔵する一対の端子箱４１、４２とリード線５０、５１でそれぞれが電気的に接続されている。
【０１５３】
また、調光信号増幅器Ｂの電源端子台ｄ、端子台ｇ及び端子台ｈは筐体２４の上面に設け、電源端子台ｄと底面に設けられた電源端子台ｅは筐体２４内部でリード線により接続され（図９破線）、さらに端子台ｇと端子台ｆとは、第一の実施形態のように一体に構成された特殊な端子構成ではなく、筐体２４内部でリード線により接続されている（図９破線）。
【０１５４】
また、保守、点検や修理になどの際に、一体に構成された照明制御装置Ａと調光信号増幅器Ｂを取り外す場合には、照明制御装置Ａの筐体１７の上端部を蛇腹の下端の取付部４０ｂから引き抜き、さらに調光信号増幅器Ｂの筐体２４の下端部を蛇腹の上端の取付部４０ａから引き抜く。さらにリード線５０、５１で接続された一対の端子箱４１、４２を、各電源端子台及び端子台から引き抜けば、両者が電気的にも機械的にも解除された状態で取り外すことができる。
【０１５５】
その他、本実施形態における照明制御装置Ａと調光信号増幅器Ｂの構成は、第一、第二の実施形態と同様である。
【０１５６】
上記のように本実施形態では、照明制御装置Ａと調光信号増幅器Ｂとが可変可能に一体に取り付けられているので、天井裏が広い場合でも、また狭い場合でもその設置条件に応じて適合させることができる。
【０１５７】
すなわち、天井裏が広い場合には、図９に実線で示すように照明制御装置Ａの筐体１７の上に調光信号増幅器Ｂの筐体２４を略垂直方向に積み重ねるようにして取り付けて構成し、前記第一の実施形態における図６に示すように設置すればよい。
【０１５８】
また、天井裏が低く狭い場合には、図９に一点鎖線で示すように天井裏の高さ寸法に合わせて、調光信号増幅器Ｂの筐体２４を適宜の傾斜角度まで可動し、例えば、前記第二の実施形態における図８に示すように設置すればよい。
【０１５９】
本実施形態によれば、照明制御装置と調光信号増幅器とが可変可能に一体に取り付けられているので、天井裏が広い場合でも、また狭い場合でもその設置条件に応じて適合させることができるので、より施工性の優れた照明制御システムを提供することができる。
【０１６０】
その他の構成・作用・効果は第一、第二の実施形態と同様である。
【０１６１】
以上、本発明の好適な実施形態を説明したが、本発明は上述の実施形態に限定されることなく、本発明の要旨を逸脱しない範囲内において、種々の設計変更を行うことができる。
【図面の簡単な説明】
【０１６２】
【図１】本発明の第一の実施形態にかかる照明制御システムの概略構成図。
【図２】本発明の第一の実施形態にかかる照明制御システムの照明制御装置と調光信号増幅器の接続状態を示す斜視図。
【図３】本発明の第一の実施形態にかかる照明制御システムの照明制御装置を示し、（ａ）は正面図、（ｂ）は底面図。
【図４】本発明の第一の実施形態にかかる照明制御システムの調光信号増幅器を示し、（ａ）は正面図、（ｂ）は背面図、（ｃ）は上面図。
【図５】本発明の第一の実施形態にかかる照明制御システムの照明制御装置と調光信号増幅器の接続状態を一部を切除して示す側面図。
【図６】本発明の第一の実施形態にかかる照明制御システムをビル施設の天井に設置した状態を示す説明図。
【図７】本発明の第二の実施形態にかかる照明制御システムの照明制御装置と調光信号増幅器の接続状態を示す側面図。
【図８】本発明の第二の実施形態にかかる照明制御システムをビル施設の天井に設置した状態を示す説明図。
【図９】本発明の第三の実施形態にかかる照明制御システムの照明制御装置と調光信号増幅器の接続状態を一部を切除して示す側面図。
【符号の説明】
【０１６３】
Ａ    照明制御装置
Ｂ    調光信号増幅器
Ｃ    商用電源
Ｄ    照明負荷
１０  電源部
１１  検出手段
１２  調光信号出力部
１３  設定部
１６  制御部
２０  電源部
２１  調光信号入力部
２２  増幅部
２３  調光信号出力部
【図１】
2005228607.tif 000006
【図２】
2005228607.tif 000007
【図３】
2005228607.tif 000008
【図４】
2005228607.tif 000009
【図５】
2005228607.tif 000010
【図６】
2005228607.tif 000011
【図７】
2005228607.tif 000012
【図８】
2005228607.tif 000013
【図９】
2005228607.tif 000014